(57)【要約】【課題】  アンテナ性能を十分に発揮できると共に強度的にも優位なアンテナを備える携帯無線機を提供できるようにする。【解決手段】  筐体２内部に収納可能なアンテナ本体１７と該アンテナ本体１７の先端に設けられたトップ部１９とを備えるアンテナ１５を、筐体２に対して伸縮可能に取り付けた携帯無線機であって、筐体２に、トップ部１９の一部を収納する筒状収納部３１が設けられ、トップ部１９が、アンテナ素子２１と、これを覆い隠すキャップ２３とを備え、キャップ２３の開口部２３ｂに、アンテナ本体１９の先端に形成したねじ止め部２５に螺合するねじ部２７が形成され、アンテナ本体１７を筐体２内部に収納した状態において、少なくともキャップ２３のねじ部２７が筒状収納部３１内に収納されるように構成した携帯無線機を提供する。【選択図】      図３
2007081788.tif 000002
【特許請求の範囲】
【請求項１】
筐体内部に収納可能なアンテナ本体と該アンテナ本体の先端に設けられたトップ部とを備えるアンテナを、筐体に対して伸縮可能に取り付けた携帯無線機であって、
前記筐体に、前記トップ部の一部を収納する筒状収納部が設けられ、
前記トップ部が、アンテナ素子と、該アンテナ素子を覆い隠すキャップとを備え、
前記キャップの開口部に、前記アンテナ本体の先端に形成したねじ止め部に螺合するねじ部が形成され、
前記アンテナ本体を前記筐体内部に収納した状態において、少なくとも前記キャップのねじ部が前記筒状収納部内に収納されることを特徴とする携帯無線機。
【請求項２】
前記キャップが前記筒状収納部の内周面に嵌め合わせ可能に形成されていることを特徴とする請求項１に記載の携帯無線機。
【請求項３】
前記筒状収納部が略円筒状に形成され、
前記キャップの外周面が、前記キャップの前記開口部側から底面部側に向けて漸次拡径する逆円錐状に形成されることを特徴とする請求項２に記載の携帯無線機。
【請求項４】
前記筒状収納部の内周面に、前記アンテナ本体側に位置する前記トップ部の基端部を当接させるストッパが突出して形成され、
前記筒状収納部の開口部から前記ストッパまでの長さが、前記ねじ部の長さよりも長く、かつ、前記キャップの長さよりも短いことを特徴とする請求項１から請求項３のいずれか１項に記載の携帯無線機。
【発明の詳細な説明】
【技術分野】
【０００１】
この発明は、通信用のロッドアンテナを備えた携帯無線機に関する。
【背景技術】
【０００２】
従来、携帯電話機等のように通信機能を備える携帯無線機には、筐体に伸縮自在なロッドアンテナを設けたものがある。このロッドアンテナは、筐体から延びる細い棒状のアンテナ本体の先端にこのアンテナ本体よりも太いトップ部を設けた構成となっている。トップ部としては、アンテナエレメントとしてのコイルを樹脂封止して構成したものがある（例えば、特許文献１参照。）。このコイルを封止する樹脂は、所定の金型を使用してインサート成形で形成される。
また、トップ部としては、例えば、棒状アンテナの先端に配された上記コイルを有底筒状に形成されたキャップにより覆い隠して構成されたものもある。このキャップは、その開口部をアンテナ本体の先端に形成されたねじ部に螺合させることで、アンテナ本体に取り付けられるようになっている。
このロッドアンテナは、携帯無線機を携行する際に棒状アンテナを筐体内に収納し、トップ部のみが筐体から突出するように構成されている。
【特許文献１】特開２００３−２５８９７０号公報
【発明の開示】
【発明が解決しようとする課題】
【０００３】
しかしながら、上記従来の携帯無線機では、コイルをインサート成形により樹脂封止するため、コイルの周囲に樹脂を成形する際に、その成形時の圧力によってコイルが変形して共振周波数のばらつきが大きくなる、すなわち、アンテナ性能を十分に発揮できないおそれがある。また、コイルを樹脂封止する際には、インサート成形用の金型が必要となるため、携帯無線機の製造コストが増加するという問題もある。
一方で、キャップを用いてトップ部を構成する場合には、携帯無線機を携行している際に落下等の衝撃によって、キャップの壁部のうち、アンテナ本体のねじ部と螺合する部分と、コイルの収容空間を構成する部分との間に応力が発生し易くなるという問題がある。
この発明は、上述した事情に鑑みてなされたものであって、アンテナ性能を十分に発揮できると共に強度的にも優位なロッドアンテナを備える携帯無線機を提供することを目的としている。
【課題を解決するための手段】
【０００４】
上記課題を解決するために、この発明は以下の手段を提案している。
本発明に係る携帯無線機は、筐体内部に収納可能なアンテナ本体と該アンテナ本体の先端に設けられたトップ部とを備えるアンテナを、筐体に対して伸縮可能に取り付けた携帯無線機であって、前記筐体に、前記トップ部の一部を収納する筒状収納部が設けられ、前記トップ部が、アンテナ素子と、該アンテナ素子を覆い隠すキャップとを備え、前記キャップの開口部に、前記アンテナ本体の先端に形成したねじ止め部に螺合するねじ部が形成され、前記アンテナ本体を前記筐体内部に収納した状態において、少なくとも前記キャップのねじ部を前記筒状収納部内に収納するように構成したことを特徴とする。
【０００５】
また、本発明に係る携帯無線機は、前記キャップを前記筒状収納部の内周面に嵌め合わせ可能に形成したことを特徴とする。
さらに、本発明に係る携帯無線機は、前記筒状収納部を略円筒状に形成し、前記キャップの外周面を、前記キャップの前記開口部側から底面部側に向けて漸次拡径する逆円錐状に形成したことを特徴とする。
【０００６】
また、本発明に係る携帯無線機は、前記筒状収納部の内周面に、前記アンテナ本体側に位置する前記トップ部の基端部を当接させるストッパが突出して形成され、前記筒状収納部の開口部から前記ストッパまでの長さが、前記ねじ部の長さよりも長く、かつ、前記キャップの長さよりも短いことを特徴とする。
【発明の効果】
【０００７】
本発明によれば、キャップ内の空間にアンテナ素子を配する構成となっているため、アンテナ素子の変形を確実に防止することができ、アンテナ性能を十分に発揮することが可能である。また、キャップを樹脂により形成する場合には、予め射出成形により製造することができるため、従来のように、アンテナ素子を樹脂封止する構成と比較して、安価に携帯無線機を製造することができる。
さらに、携帯無線機を携行する際に、アンテナ本体を筐体内部に収納すると共にキャップのねじ部を筒状収納部に収納しておくことにより、キャップのねじ部が筒状収納部により保護されることになる。このため、落下等の衝撃が発生しても、キャップの壁部のうち、ねじ部を構成する部分とアンテナ素子の収容空間を構成する部分との間に応力が発生することを防止して、キャップの保護を図ることができる。したがって、強度的に優位なアンテナを構成することができる。
【発明を実施するための最良の形態】
【０００８】
図１から図３は本発明に係る一実施形態を示しており、ここで説明する実施の形態は、この発明を携帯電話機に適用した場合のものである。
図１に示すように、この実施の形態に係る携帯電話機（携帯無線機）１は、第１の筐体２と、この第１の筐体２の厚さ方向に重ね合わせ可能な第２の筐体３と、これら２つの筐体２，３を相互に折り畳み自在に連結するヒンジ部５とを備えている。なお、ヒンジ部５は、２つの筐体２，３の各端部２ａ，３ａ（以下、基端部２ａ，３ａと呼ぶ。）同士を連結するように配されている。
【０００９】
第２の筐体３の内部には、ＬＣＤ（Liquid Crystal Display）等、各種情報を表示する表示部７及び通話用のスピーカ部９が設けられている。表示部７は、２つの筐体２，３を相互に重ね合わせた状態において第１の筐体２に対向する第２の筐体３の対向面３ｃ側に露出している。スピーカ部９は、基端部３ａとは反対側に位置する第２の筐体３の先端部３ｂに配されており、第２の筐体３の対向面３ｃから第２の筐体３の内部空間に貫通する開口部３ｄを介して外方に露出している。
【００１０】
第１の筐体２の内部には、通話キー、終話キー等の各種の押圧可能な操作キー１０を備えたキー操作部１１、通話用のマイクロフォン部１３が設けられている。キー操作部１１の各操作キー１０は、２つの筐体２，３を相互に重ね合わせた状態において第２の筐体３に対向する第１の筐体２の対向面２ｃから外方に露出している。マイクロフォン部１３は、基端部２ａとは反対側に位置する第１の筐体２の先端部２ｂ側に配されており、第１の筐体２の対向面２ｃから第１の筐体２の内部空間に貫通する開口部２ｄを介して外方に露出している。
【００１１】
また、図２に示すように、この第１の筐体２の基端部２ａ側には、基地局と無線通信を行うためのロッドアンテナ（アンテナ）１５が設けられており、第１の筐体２に対して伸縮可能となっている。ロッドアンテナ１５は、第１の筐体２内部に収納可能な細い棒状のアンテナ本体１７と、この先端にアンテナ本体１７よりも太く形成されたトップ部１９とから構成されている。トップ部１９は、図３に示すように、アンテナエレメントとしてのコイル（アンテナ素子）２１と、コイル２１を覆い隠す有底略筒状のキャップ２３とから構成されている。
【００１２】
キャップ２３の外周面２３ａは、アンテナ本体１７の先端部側に位置するキャップ２３の開口部２３ｂから、キャップ２３の底面部２３ｃに向けて徐々に拡径する逆円錐状に形成されている。キャップ２３の開口部２３ｂには、アンテナ本体１７の先端に形成された雄ねじ部（ねじ止め部）２５に螺合する雌ねじ部２７が形成されている。このキャップ２３の雌ねじ部２７をアンテナ本体１７の雄ねじ部２５に螺合させた状態においては、雄ねじ部２５によってキャップ２３の開口部２３ｂが閉塞されると共に、キャップ２３内の空間にコイル２１が配されることになる。なお、このキャップ２３は、樹脂により形成されており、アンテナ本体１７に取り付けられる前に予め射出成形により製造される。
コイル２１は、前述した雄ねじ部２５からさらにアンテナ本体１７の先端側に一体的に形成された棒状のボビン２９に巻回されており、キャップ２３内の所定位置に固定されるようになっている。
【００１３】
第１の筐体２の基端部２ａには、アンテナ本体１７を第１の筐体２に収納した状態において、前述したトップ部１９の一部を収納するためのアンテナ収納部（筒状収納部）３１が設けられている。アンテナ収納部３１は、円筒状に形成されており、第１の筐体２の基端部２ａ側に開口している。なお、このアンテナ収納部３１の内径は、前述したキャップ２３の開口部２３ｂ近傍の外径よりも大きく形成され、また、キャップ２３の底面部２３ｃ近傍の内径よりも小さく形成されている。
【００１４】
さらに、アンテナ収納部３１の内周面３１ａには、トップ部１９の基端部１９ａを当接させるストッパ３３が突出して形成されている。このストッパ３３には、アンテナ本体１７を挿通させる開口部３３ａが形成されている。なお、ストッパ３３の開口部３３ａの内径は、トップ部１９の基端部１９ａの外径よりも小さく、トップ部１９がストッパ３３の開口部３３ａを通過できないようになっている。
ストッパ３３の形成位置からアンテナ収納部３１の開口部３１ｂまでの長さは、アンテナ本体１７の雄ねじ部２５やキャップ２３の雌ねじ部２７の長さよりも長く、かつ、キャップ２３の長さよりも短くなっている。
【００１５】
以上のように構成された携帯電話機１を携行する場合には、ロッドアンテナ１５を縮める、すなわち、アンテナ本体１７を第１の筐体２内部に収納すると共にトップ部１９をアンテナ収納部３１内に挿入すればよい。この際、キャップ２３は前述のように逆台形状に形成されているため、アンテナ収納部３１の開口部３１ｂからトップ部１９を挿入した際には、キャップ２３の中途部がアンテナ収納部３１の開口部３１ｂに嵌め合わされることになる。すなわち、キャップ２３とアンテナ収納部３１とが一体的に固定されることになる。
【００１６】
また、トップ部１９をアンテナ収納部３１に挿入した際には、トップ部１９の基端部１９ａがアンテナ収納部３１のストッパ３３に当接する。ここで、アンテナ収納部３１の開口部３１ｂからストッパ３３までの長さは、雌ねじ部２７の長さよりも長いため、前述の当接状態において、キャップ２３の雌ねじ部２７を確実にアンテナ収納部３１内に収納することができる。
さらに、アンテナ収納部３１の開口部３１ｂからストッパ３３までの長さは、キャップ２３の長さよりも短いため、同当接状態においては、トップ部１９の先端部がアンテナ収納部３１から突出した位置に配されることになる。すなわち、通話や通信を行う際には、アンテナ収納部３１から突出したトップ部１９を把持してアンテナ本体１７を第１の筐体２の内部から引き出すようにロッドアンテナ１５を第１の筐体２から延ばせばよい。
【００１７】
上記のように、この携帯電話機１によれば、有底筒状のキャップ２３内の空間にコイル２１を配することにより、コイル２１の変形を確実に防止することができ、コイル２１のアンテナ性能を十分に発揮することが可能である。
また、携帯電話機１を携行する際に、アンテナ本体１７を第１の筐体２内部に収納すると共にキャップ２３の雌ねじ部２７をアンテナ収納部３１に収納しておくことにより、雌ねじ部２７がアンテナ収納部３１により保護されることになる。このため、落下等の衝撃が発生しても、キャップ２３の壁部のうち、雌ねじ部２７を構成する部分とコイル２１の収容空間を構成する部分との間に応力が発生することを防止して、キャップ２３の保護を図ることができる。したがって、強度的に優位なロッドアンテナ１５を備えた携帯電話機１を提供することができる。
【００１８】
さらに、逆台形状に形成されたキャップ２３を略円筒状のアンテナ収納部３１の内周面３１ａに嵌め合わせることにより、アンテナ本体１７を第１の筐体２内部に収納して携帯電話機１を携行している際に、トップ部１９が不意にアンテナ収納部３１から飛び出ることを確実に防止できる。
また、キャップ２３をアンテナ収納部３１に嵌め合わせることで、トップ部１９をアンテナ収納部３１に一体的に固定することができるため、落下等の衝撃に基づいてキャップ２３がアンテナ収納部３１に衝突して前述と同様の応力が発生することも防止できる。
【００１９】
さらに、トップ部１９がアンテナ収納部３１のストッパ３３に当接した状態においては、雌ねじ部２７がアンテナ収納部３１内に収納されることになるため、雌ねじ部２７がアンテナ収納部３１により保護されていることを容易に把握することができる。
また、トップ部１９がストッパ３３に当接した状態においては、トップ部１９の先端部がアンテナ収納部３１から突出した位置に配されるため、ロッドアンテナ１５を第１の筐体２から容易に引き出すことができる。
さらに、キャップ２３は、アンテナ本体１７に取り付けられる前に予め射出成形により製造されるため、従来のように、コイル２１をインサート成形により樹脂封止する場合と比較して、安価に携帯無線機を製造することができる。
【００２０】
なお、上記の実施形態においては、キャップ２３が逆台形状に形成されるとしたが、これに限ることはなく、少なくともキャップ２３がアンテナ収納部３１の内周面３１ａに嵌め合わせ可能に形成されていればよい。すなわち、例えば、キャップ２３の外周面２３ａ及びアンテナ収納部３１の内周面３１ａが相互に係合するように、これら外周面２３ａや内周面３１ａに突起や突起に係合する凹部を形成するとしても構わない。
また、キャップ２３の開口部２３ｂには雌ねじ部２７が形成されるとしたが、これに限ることはなく、例えば、アンテナ本体１７の先端部に雌ねじ部（ねじ止め部）を形成し、キャップ２３の開口部２３ｂにこの雌ねじ部に螺合する雄ねじ部が形成されるとしても構わない。
【００２１】
また、ヒンジ部５によって互いに連結された２つの筐体２，３を備える携帯電話機１について述べたが、これに限ることはなく、例えば、１つの筐体から構成される携帯電話機であっても構わない。さらに、上記実施形態の構成は、携帯電話機に限ることもなく、無線で通信を行う機能を備えた無線通信機に適用することができる。
【００２２】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００２３】
【図１】この発明の一実施形態に係る携帯電話機の第１、第２の筐体を相互に開いた状態を示す概略斜視図である。
【図２】図１の携帯電話機において、第１、第２の筐体を相互に開いた状態を示す側面図である。
【図３】図１の携帯電話機において、筒状収納部に収納されたトップ部を示す拡大断面図。
【符号の説明】
【００２４】
１  携帯電話機（電子機器）
２  第１の筐体
１５  ロッドアンテナ（アンテナ）
１７  アンテナ本体
１９  トップ部
１９ａ  基端部
２１  コイル（アンテナ素子）
２３  キャップ
２３ａ  外周面
２３ｂ  開口部
２３ｃ  底面部
２５  雄ねじ部（ねじ止め部）
２７  雌ねじ部
３１  アンテナ収納部（筒状収納部）
３１ａ  内周面
３１ｂ  開口部
３３  ストッパ
【図１】
2007081788.tif 000003
【図２】
2007081788.tif 000004
【図３】
2007081788.tif 000005